(57)【要約】【課題】フルオレセイン法等の青色光源撮影下において、疾患部をより識別し易く撮影し得るセットアップ切り替え機能を備える医療用テレビカメラ装置とこれを用いた眼科撮影装置を提供する。【解決手段】使用光源の種類に対応する切り換え操作により、予め記憶したセットアップ情報をメモリ１１から読み出し、当該セットアップ情報に基づく調整値に色信号を設定するようになされ、このセットアップ情報が、少なくとも青色光源下でのホワイトバランス調整値を含む医療用テレビカメラ装置であり、この医療用テレビカメラ装置を用いた眼科撮影装置である。【選択図】　　図１
2004112411.tif 000002
【特許請求の範囲】
【請求項１】
被写体を照明する光源の種類に対応する切り換え操作によって、予め記憶したセットアップ情報を選択して、ホワイトバランス調整値を再現する医療用テレビカメラ装置において、
前記セットアップ情報が、少なくとも青色光源用のホワイトバランス調整値を設定する情報を含み、前記医療用テレビカメラ装置は、ＲＧＢチャンネル信号をゲインアップできるゲイン切替え手段と、前記ゲイン切替え手段からの各チャンネル信号のゲインを調整することができるゲイン調整手段と、前記ゲイン調整手段からの各チャンネル信号の信号レベルを検出するレベル検出手段と、前記セットアップ情報及び前記レベル検出手段からの信号に基づいて、前記ゲイン切替え手段と前記ゲイン調整手段とを制御する制御手段とを備えることを特徴とする医療用テレビカメラ装置。
【請求項２】
被写体からの光量を調整する露光調整手段を備え、該露光調整手段を前記制御手段によって制御することを特徴とする請求項１に記載の医療用テレビカメラ装置。
【請求項３】
前記ホワイトバランス調整値を再現するセットアップ情報に基づいて、前記制御手段は、前記ゲイン調整手段によって、白色光源用のホワイトバランス調整値に比べてＢチャンネルのゲイン値を下げ、かつＲチャンネルのゲイン値を上げるように制御し、さらに前記ゲイン切替え手段によって、全チャンネルをゲインアップするように制御することを特徴とする請求項１又は２に記載の医療用テレビカメラ装置。
【請求項４】
前記セットアップ情報により再現されるホワイトバランス調整値は、既に前記切り替え操作により全チャンネルが一律にゲインアップされている場合、当該ゲインアップ値に前記セットアップ情報による調整値を加算した値であることを特徴とする請求項１〜３の何れかに記載の医療用テレビカメラ装置。
【請求項５】
前記セットアップ情報により再現されるホワイトバランス調整値は、前記切り換え操作が手動操作を備え、既に該手動操作によって、調整値の操作が行われている場合、該手動操作による設定値を中心に設定した値であることを特徴とする請求項１〜３の何れかに記載の医療用テレビカメラ装置。
【請求項６】
前記制御手段は、前記光源が青色光源の場合、前記ゲイン調整手段によって、Ｒチャンネルのゲインを最大にした後、ＢチャンネルとＧチャンネルとの信号レベルを下げて、前記Ｒチャンネルのゲインに合わせるように制御することを特徴とする請求項１又は２に記載の医療用テレビカメラ装置。
【請求項７】
前記制御手段は、前記光源が青色光源の場合、前記ゲイン調整手段によって、Ｇチャンネルのゲインを下げた後、Ｇチャンネルの信号レベルの輝度信号レベルが最大となるように前記露光調整手段を制御し、前記ゲイン調整手段によって、ＲチャンネルとＢチャンネルの信号レベルをＧチャンネルの信号レベルに合わせるように制御することを特徴とする請求項２に記載の医療用テレビカメラ装置。
【請求項８】
請求項１〜７の何れかに記載の医療用テレビカメラ装置による撮影系に被検眼を照明する照明光学系を備え、前記撮影系により被検眼を撮影する眼科撮影装置であって、
前記照明光学系には光源の切り替えを検知するセンサが備えられ、該センサからの検知信号が前記医療用テレビカメラ装置の制御手段に入力され、前記検知信号に対応するホワイトバランス調整を再現するためのセットアップ情報を選択し、前記医療用テレビカメラ装置のホワイトバランス調整値を再現して、前記被検眼を撮影することを特徴とする眼科撮影装置。
【発明の詳細な説明】
【０００１】
【発明の属する技術分野】
本発明は、医療用テレビカメラ装置とこれを用いた眼科撮影装置に関し、特にフルオレセイン法等の蛍光撮影時での光源の影響を相殺するような好適なホワイトバランス調整の切り替え機能を備えた医療用テレビカメラ装置とこれを用いた眼科撮影装置に係るものである。
【０００２】
【従来の技術】
近年、パソコン等のＯＡ機器を長時間使用することにより生じるドライアイ患者が増加して、角膜上皮障害や結膜障害等の眼科疾患を併発するケースが増えつつある。今日の眼科診断においては、これらの疾患を如何に認識し易く撮影するかが、重要な診断のテーマの一つになっている。
【０００３】
従来から、これらの眼科疾患にかかる患者を撮影する方法としては、生体染色による撮影方法、例えば、フルオレセイン法等が広く行われている。フルオレセイン法は、フルオレセインナトリウムという蛍光物質を患者の眼に点眼した後、スリットランプを用いた青色系の短波長光源からなる励起光を、角膜等の患者へ向けて照射して診断する撮影方法である。
【０００４】
この診断における撮影装置には、目的に応じてスチルカメラか、又はテレビカメラの何れかを使用して撮影されている。例えば、テレビカメラを使用する場合は、通常ハロゲンランプ等の白色光源下で、ホワイトバランスを調整して患部の撮影が行われている。角膜等に疾患がある場合は、励起光による緑色の蛍光が疾患部から発せられる。眼科診断では、これらの蛍光量を測定することによって、患者の疾患の程度を定量化して診断が行われている。
【０００５】
この種の先行技術文献には、例えば、特許文献として、特開平８−１１７１９２号公報（従来例１）、特開平９−２０１３３４号公報（従来例２）等があり、非特許文献としては、「メディカルレンズによる角膜生体染色撮影」（日本医学写真学会雑誌，１９９８年，第３６巻，第３号，Ｐ５９−６６）（従来例３）等がある。
【０００６】
従来例１は、被検眼を照明する照明光学系とこの照明光学系によって照明される被検眼を撮影するビデオカメラを有する撮影光学系とで構成される眼科撮影装置であり、手動での照明光源の明るさの調整が必要でなく、ビデオカメラのＡＧＣ（オートゲインコントロール）を働かせることなく、ビデオ画像の明るさを常に適正なものにすることができるものである。
【０００７】
従来例２は、被検眼の涙液表面層の干渉模様を観察してドライアイを診断する眼科装置に関し、干渉模様の撮影に複数個のエリアを設定して、これらのエリアの色相を演算処理して求めて、エリア毎の色相によりドライアイを診断する眼科装置に関している。
【０００８】
従来例３は、メディカルレンズによる角膜生体染色撮影に関し、長焦点メディカルレンズを一眼レフレックスカメラに装填したクローズアップ装置に蛍光用フィルタを用いてフルオレセイン角膜染色撮影の有用性を検討している。
【０００９】
【発明が解決しようとする課題】
しかし、従来の医療用テレビカメラ装置では、患者の眼を撮影する際に、そのカメラのエンコーダー出力がサブキャリアゼロとなるように、ホワイトバランス調整が行われており、その際、ハロゲンランプ等の白色光源下で調整が行われている。このようにホワイトバランス調整されたテレビカメラ装置によって、上記のようなフルオレセイン法による検眼を行うために青色光源下で蛍光撮影を行うと、カメラ内部の信号処理では、青色の信号レベルだけが異常に高くなる現象があった。このようなことから、被検眼の疾患部からの緑色の蛍光色は、青色光源の強さに負けてしまい、撮影画像では疾患部であるフルオレセインナトリウムの染色部が識別できるなくなるという問題があった。このような問題は、従来例１，２に共通することである。
【００１０】
また、肉眼で直接患部を観察する場合には、人間の知覚恒常性によって、青色光源下であっても徐々に目が慣れて行くため、疾患部であるフルオレセインナトリウムの染色部を識別することができる。しかし、肉眼では染色部を識別できるにもかかわらず、テレビカメラで撮影したモニタ上では染色部を識別ができないという問題があった。
【００１１】
また、従来のテレビカメラ装置におけるＡＷＢ（オートホワイトバランス）は、Ｒ（赤），Ｇ（緑），Ｂ（青）チャンネル信号のＧチャンネル信号のゲインコントロールを行わないで固定し、アイリス（レンズ側の露光調整機構）等で１００％の輝度信号レベル（１００ＩＲＥ）の入力レベルになるように調整した後、Ｒ，Ｂチャンネル信号のゲインを制御して、各チャンネルの信号レベルを揃えてホワイトバランスをとっている。しかし、スリットランプの青色光のもとでの撮影した場合、スリット幅によっては光量が足りなくなり、Ｇチャンネルの信号レベルは、１００ＩＲＳに達するものの、Ｒチャンネル信号のゲインを最大にしても１００ＩＲＳに達しない場合があり、このように調整されたテレビカメラ装置で撮影された映像は、赤色系の光量（波長が６００ｎｍ付近）が不足して違和感を感ずることとなり、医療用テレビカメラ装置としては使用できなかった。
【００１２】
本発明は、上記課題に鑑みなされたものであって、フルオレセイン法等の青色光源撮影下において、疾患部をより識別し易く撮影し得るセットアップ切り替え機能を備える医療用テレビカメラ装置とこれを用いた眼科撮影装置を提供することを目的とするものである。
【００１３】
【課題を解決するための手段】
本発明は、上記課題を達成したものであり、請求項１の発明は、被写体を照明する光源の種類に対応する切り換え操作によって、予め記憶したセットアップ情報を選択して、ホワイトバランス調整値を再現する医療用テレビカメラ装置において、
前記セットアップ情報が、少なくとも青色光源用のホワイトバランス調整値を設定する情報を含み、前記医療用テレビカメラ装置は、ＲＧＢチャンネル信号をゲインアップできるゲイン切替え手段と、前記ゲイン切替え手段からの各チャンネル信号のゲインを調整することができるゲイン調整手段と、前記ゲイン調整手段からの各チャンネル信号の信号レベルを検出するレベル検出手段と、前記セットアップ情報及び前記レベル検出手段からの信号に基づいて、前記ゲイン切替え手段と前記ゲイン調整手段とを制御する制御手段とを備えることを特徴とする医療用テレビカメラ装置である。
【００１４】
請求項１の発明では、ＲＧＢチャンネル信号をゲインアップできるゲイン切替え手段（ゲイン切替え部）と、ゲイン切替え手段からの各チャンネル信号のゲインを調整することができるゲイン調整手段（ゲイン調整部）と、ゲイン調整手段からの各チャンネル信号の信号レベルを検出するレベル検出手段（レベル検出部）と、セットアップ情報及びレベル検出手段からの信号に基づいて、ゲイン切替え手段とゲイン調整手段とを制御する制御手段（制御部）とを備えており、色分解光学系からのＲ（赤）Ｇ（緑）Ｂ（青）な各信号をゲイン切替え手段を通してとして、ゲイン調整手段、レベル検出手段を経て出力しており、ゲイン切替え手段が制御手段によって制御し得る構成として、このように色分解光学系の出力の信号レベルを調整する構成とすることによって、種々の光源に応じた最適なホワイトバランス調整を可能としたものである。
【００１５】
また、請求項２の発明は、被写体からの光量を調整する露光調整手段を備え、該露光調整手段を前記制御手段によって制御することを特徴とする請求項１に記載の医療用テレビカメラ装置である。
【００１６】
請求項２の発明では、被写体からの光量を調整する露光調整手段を制御手段（制御部）によって制御することができるので、特定の波長の輝度信号レベルが１００％（１００ＩＲＥ）になるように制御することが可能であり、光源の波長の分布に応じて調整できる作用を有する。
【００１７】
また、請求項３の発明は、前記ホワイトバランス調整値を再現するセットアップ情報に基づいて、前記制御手段は、前記ゲイン調整手段によって、白色光源用のホワイトバランス調整値に比べてＢチャンネルのゲイン値を下げ、かつＲチャンネルのゲイン値を上げるように制御し、さらに前記ゲイン切替え手段によって、全チャンネルをゲインアップするように制御することを特徴とする請求項１又は２に記載の医療用テレビカメラ装置である。
【００１８】
請求項３の発明では、セットアップ情報が、被写体（疾患部）を青色光源下で撮影を行う場合に、青色の光の波長の影響を相殺するように、ホワイトバランス調整におけるセットアップ情報が記憶された医療用テレビカメラ装置であり、青色系の被写体を撮影しても容易に識別することができるようにしたものであり、そのホワイトバランス調整値は、青色の波長の光りの影響を相殺するように、ホワイトバランス調整値が白色光源用に比べてＢ（青）チャンネルのゲイン値を下げ、かつＲ（赤）チャンネルのゲイン値を上げ、さらにゲイン切替え手段（ゲイン切替え部）により全チャンネルをゲインアップさせるようにゲイン調整するように、制御手段によって、ゲイン調整手段及びゲイン切替え手段を制御するようにしており、このホワイトバランス調整値がセットアップ情報としてメモリに記憶されている。医療用テレビカメラ装置のゲイン調整を自動的に調整することによって、その都度、最適な調整値に調整する必要がなく、操作が簡便なものとなる作用を有する。
【００１９】
また、請求項４の発明は、前記セットアップ情報により再現されるホワイトバランス調整値は、既に前記切り替え操作により全チャンネルが一律にゲインアップされている場合、当該ゲインアップ値に前記セットアップ情報による調整値を加算した値であることを特徴とする請求項１〜３の何れかに記載の医療用テレビカメラ装置である。
【００２０】
請求項４の発明では、セットアップ情報に基づく調整値が、既に切り替え操作によって、ゲイン切替え手段によるゲインアップ操作が行われている場合、当該ゲインアップ値に加算して設定するようにして、光源の輝度や撮影環境下の光の波長のバラツキに対応して、ホワイトバランス調整に設定できる作用を有する。
【００２１】
また、請求項５の発明は、前記セットアップ情報により再現されるホワイトバランス調整値は、前記切り換え操作が手動操作を備え、既に該手動操作によって、調整値の操作が行われている場合、該手動操作による設定値を中心に設定した値であることを特徴とする請求項１〜３の何れかに記載の医療用テレビカメラ装置である。
【００２２】
請求項５の発明では、手動操作、例えばペイントボリュームによって、各チャンネルのゲインを調整した場合に、その調整値を基準として、ホワイトバランス調整することによって、光源の輝度や撮影環境下の光の波長のバラツキに対応してホワイトバランス調整に設定できる作用を有する。
【００２３】
また、請求項６の発明は、前記制御手段（制御部）が、前記光源が青色光源の場合、前記ゲイン調整手段（ゲイン調整部）によって、Ｒチャンネルのゲインを最大にした後、ＢチャンネルとＧチャンネルとの信号レベルを下げて、前記Ｒチャンネルのゲインに合わせるように制御することを特徴とする請求項１又は２に記載の医療用テレビカメラ装置である。
【００２４】
請求項６の発明では、光源が青色光源の場合、赤系の光量が不足するために、ゲイン調整手段（ゲイン調整部）によって、Ｒチャンネルのゲインを最大にした後、ＢチャンネルとＧチャンネルとの信号レベルを下げて、Ｒチャンネルのゲインに合わせるように制御することによって、青系の被写体をモニタ画面で識別できる作用を有する。
【００２５】
また、請求項７の発明は、前記制御手段（制御部）が、前記光源が青色光源の場合、前記ゲイン調整手段（ゲイン調整部）によって、Ｇチャンネルのゲインを下げた後、Ｇチャンネルの信号レベルの輝度信号レベルが最大となるように前記露光調整手段を制御し、前記ゲイン調整手段によって、ＲチャンネルとＢチャンネルの信号レベルをＧチャンネルの信号レベルに合わせるように制御することを特徴とする請求項２に記載の医療用テレビカメラ装置である。
【００２６】
請求項７の発明では、制御手段が、光源が青色光源の場合、ゲイン調整手段によって、Ｇチャンネルのゲインを予め下げて青系のレベルを下げた後に、Ｇチャンネルの信号レベルの輝度信号レベルが最大となるように露光調整手段を制御し、ゲイン調整手段によって、ＲチャンネルとＢチャンネルの信号レベルをＧチャンネルの信号レベルに合わせるように制御しており、青系の被写体をモニタ画面で識別できる作用を有する。
【００２７】
また、請求項８の発明は、請求項１〜７の何れかに記載の医療用テレビカメラ装置による撮影系に被検眼を照明する照明光学系を備え、前記撮影系により被検眼を撮影する眼科撮影装置であって、
前記照明光学系には光源の切り替えを検知するセンサが備えられ、該センサからの検知信号が前記医療用テレビカメラ装置の制御手段に入力され、前記検知信号に対応するホワイトバランス調整を再現するためのセットアップ情報を選択し、前記医療用テレビカメラ装置のホワイトバランス調整値を再現して、前記被検眼を撮影することを特徴とする眼科撮影装置である。
【００２８】
請求項８の発明では、撮影系である請求項１〜７に記載の医療用テレビカメラ装置による撮影系に、被検眼を照明する照明光学系とを備えた眼科撮影装置であり、照明光学系により照明された被検眼を上記撮影系により撮影する。前記照明光学系には、光源の種類を検知するセンサが備えられているので、センサからの検知信号によって、照明光学系での光源の切り替えが検出され、この光源に対応するように、医療用テレビカメラ装置のセットアップ情報を自動的に選択するように制御して、操作を簡便なものとした眼科撮影装置であり、撮影系のメモリにセットアップ情報が記憶されているので、その都度、ホワイトバランス調整を行う必要がなく、セットアップ情報を選択するのみで、モニタには青色系の被写体の映像が識別可能に映し出せる作用を有する。
【００２９】
【発明の実施の形態】
以下、本発明に係る医療用テレビカメラ装置の実施形態について、図面を参照して説明する。なお、図１は、本発明に係る医療用テレビカメラ装置の実施形態を示すブロック図であり、その構成は、大別してＲＧＢ原色信号（撮像信号）の信号レベルを設定する信号系と、その制御系とからなる。以下、図１を参照して本実施形態について説明する。
【００３０】
〔信号系〕
本実施形態の医療用テレビカメラ装置の信号系は、撮影用レンズを通過して光学プリズムにより分光されたＲ（赤），Ｇ（緑），Ｂ（青）の各色の被写体光が光電変換されて、Ｒ，Ｇ，Ｂチャンネル（以下、チャンネルはｃｈとする。）１２Ｒ，１２Ｇ，１２ＢからＲｃｈ信号，Ｇｃｈ信号，Ｂｃｈ信号の各信号が出力され、Ｒｃｈ信号，Ｇｃｈ信号，Ｂｃｈ信号のゲインアップを、一律にオン・オフ制御によって切り替えることができるゲイン切替え部１３と、Ｒｃｈ信号，Ｇｃｈ信号，Ｂｃｈ信号の各ゲインをそれぞれ調整することができるゲイン調整部（Ｒｃｈ用ゲイン調整部１４Ｒ，Ｇｃｈ用ゲイン調整部１４Ｇ，Ｂｃｈ用ゲイン調整部１４Ｂ）１４と、各Ｒｃｈ，Ｇｃｈ，Ｂｃｈ用ゲイン調整部１４Ｒ，１４Ｇ，１４Ｂから出力されたＲ，Ｇ，Ｂ信号の相互の信号レベルを検出するレベル検出部１５とを含んでいる。
【００３１】
〔制御系〕
本実施形態の医療用テレビカメラ装置の制御系は、制御スイッチ１６と、制御部（制御手段）１７とから構成され、制御部（制御手段）１７にはセットアップ情報が記憶されるメモリ１１が備えられている。制御スイッチ１６は、白色光源下でのホワイトバランス調整を再現するスイッチ（ホワイトバランス調整ボタン）と、光源種に基づくホワイトバランス調整を行うモード切り替えスイッチと、ペイントボリューム（ＲｃｈとＢｃｈのゲインを手動操作するもの）と、ゲインアップスイッチ（全チャンネルのゲインを一律に上げることができるスイッチ）とを備えている。制御部１７は、制御スイッチ１６からの制御信号に基づいて、ゲイン切替え部１３と、Ｒｃｈ用ゲイン調整部１４ＲとＢｃｈ用ゲイン調整部１４Ｂとにゲイン制御信号を送って、それぞれのゲインを調整する機能を有する。さらに、制御部１７は、光量を調整するためにＩＲＩＳ調整部（露光調整手段）１８を制御する制御信号を出力することができる。なお、ＩＲＩＳ調整部は、レンズの絞り（アイリス）を調整する機構やＣＣＤの電子シャッター機能を含む。
【００３２】
次に、本実施形態の動作について、青色光源下での蛍光撮影時を想定して、信号系と制御系との各動作を説明する。
【００３３】
〔信号系の動作〕
本実施形態の信号系の動作を説明する。被検眼はスリットランプで照らされ、被検眼から反射光（緑色の蛍光も含む）が発せられる。反射光は、撮影用レンズを介して光学プリズムで分光されて、Ｒ（赤），Ｇ（緑），Ｂ（青）の各チャンネル用の撮像素子に受光される。そして、各チャンネル毎に光電変換された後、各チャンネルのＲｃｈ信号，Ｇｃｈ信号，Ｂｃｈ信号がゲイン切替え部１３へと入力されている。
【００３４】
被検眼から蛍光色が暗く、信号が微少レベルである場合は、後述する制御部１７からのゲイン制御信号によって、ゲイン切替え部１３により各チャンネル全てが一律にゲインアンプされる。その後、各チャンネル毎のゲイン調整部１４（Ｒｃｈ用ゲイン調整部１４Ｒ，Ｇｃｈ用ゲイン調整部１４Ｇ，Ｂｃｈ用ゲイン調整部１４Ｂ）に入力される。操作者が、制御スイッチ１６のホワイトバランス調整ボタンを操作すると、制御部１７からのゲイン制御信号によって、Ｒｃｈ用ゲイン調整部１４ＲとＢｃｈ用ゲイン調整部１４Ｂのゲインが所定の値になるように個別に制御される。
【００３５】
このようにゲインが調整されたＲ，Ｇ，Ｂｃｈの各信号は、レベル検出部１５へ入力される。レベル検出部１５では、各チャンネル毎の信号レベルが検出され、ホワイトバランスを調整する間だけそれらの信号がレベル検出部１７へフィードバックされ、所定のゲイン値に設定される。この時のゲイン値を含むセットアップ情報は、制御部１７の内部にあるメモリ１１にも記憶される。その後、ゲイン値の調整された映像信号は、信号処理系へ送られて、色復調やガンマ補正等の処理が行われ、ＮＴＳＣ方式等の所定のビデオ信号にエンコードされる。なお、通常Ｇｃｈ用ゲイン調整部１４Ｇは、ゲインコントロールが行わないように固定されている。
【００３６】
〔制御系の動作〕
本実施形態の制御系の動作を説明する。先ず、予め青色光源下でグレーチャートや白い被写体を医療用テレビカメラ装置で撮影してホワイトバランス調整を行う。その際、この時のホワイトバランスにかかるゲイン調整値は、青色光源モード（通常の白色光源モードに比べて、Ｂチャンネルのゲインを下げ、Ｒチャンネルを上げた設定）として、制御部１７の中にあるメモリ１１に記憶させる。その後、白色光源下でホワイトバランス調整をし、通常はこちらの調整値で撮影が行われる。白色光源下で撮影中に、蛍光撮影に切り替えて撮影を行う場合、照明を通常の白色光源から青色光源に切り替え、制御スイッチ１６の一つである青色光源用のモード切り替えボタンを操作してオン状態とする。
【００３７】
制御スイッチ１６のモード切り替えボタンが操作されると、当該モード切り替え信号が制御部１７へ伝わり、制御部１７の中にあるメモリ１１に記憶されているセットアップ情報（青色光源での各チャンネルのゲイン調整値等）が読み出される。制御部１７は、当該セットアップ情報に従ってＲｃｈ用アンプ１４ＲとＢｃｈ用アンプ１４Ｂにゲイン制御信号が送られる。このようにして、前記青色光源下でのホワイトバランス調整値が再現される。
【００３８】
さらに、本実施形態では、青色光源下での緑色の蛍光色が一般に暗く見難いことを考慮して、青色光源でのホワイトバランスが再現された後、全チャンネルのゲインをゲイン切替え部１３によって、例えば、＋１２ｄｂゲインアップさせるようにしている。必要あれば、操作者が手動で＋６ｄｂまたは＋３ｄｂに設定することができる。
【００３９】
なお、通常の白色光源用のホワイトバランスモードに戻したい場合は、上記で操作した制御スイッチ１６のモード切り替えボタンを再度押すことによって復帰させることができる。この場合、上記手順と逆の順序でもとの機能に戻すことがきる。この他の機能としては、制御スイッチ１６部のボタンを操作するだけで、Ｂチャンネルのゲイン値だけが瞬時に光量が絞られる簡易的な機能を設けてもよい。
【００４０】
周知のように、ホワイトバランスは、カメラで撮影している被写体の光源の色温度を検出し、無彩色が無彩色に、すなわち白が白になるように制御するものであるが、それと同時に色再現を最適に保つという働きをする。特に、生体染色による蛍光撮影を多用する眼科撮影用のテレビカメラは、色の再現性により眼科の診断結果（例えば、角膜上皮障害の程度）が大きく左右される場合があるので、本実施形態のようにホワイトバランスを含めた複数のセットアップ情報をメモリに記憶し、その撮影方法に応じて各モードを使い分けることで、色再現を最適に保つようにして、疾患部の診断が可能としたものであり、眼科の診断において非常に重要なものである。
【００４１】
また、本発明にかかる医療用テレビカメラ装置を使用する際には、撮影状態に応じて制御パネル上の各スイッチ（ゲインアップボタン、Ｒｃｈ及びＢｃｈ用ペイントボリューム（手動操作によるゲイン調整手段）を操作しながらホワイトバランスのモード切り替えをする場合もある。このような場合に、当該モード切り替え機能がどのように働くかが問題となる。以下、各操作におけるモード切り替え機能の動作について説明する。
【００４２】
先ず、青色光源モードに切り替える際に、既に制御スイッチ１６のゲインアップボタンが押されている場合について説明すると、ゲインアップボタンが操作されて、制御部１７からの制御信号に基づいて、全チャンネルのゲインがゲイン切り替え部１３により一律にゲインアップされており、この場合、上記青色光源でのゲイン調整値にゲインアップの値が、そのまま加算される。特に、蛍光色をよりはっきりと表示したい場合等に有効である。
【００４３】
一方、既に制御スイッチ１６のＲｃｈ及びＢｃｈ用ペイントボリュームを操作していた場合には、当該ボリュームを回した位置で設定されている調整値を基準にして、ホワイトバランスが調整が行われ、調整後もその位置を中心にペイント機能が働くことになる。従って、ペイントボリュームを、例えば、ゲインを上げる方向に操作した状態でホワイトバランスを調整すると、その後はゲインを上げる方向の調整範囲が狭まる反面、ゲインを下げる方向の調整範囲が広がることになり、Ｇｃｈの信号レベルに対して、Ｒｃｈ及びＢｃｈの信号レベルを下げる場合に有効である。特に、ゲイン調整範囲の広狭調節をしたい場合等に有効である。
【００４４】
続いて、本発明の医療用テレビカメラ装置の他の実施形態について、図１を参照して説明する。本実施形態は、上記実施形態とはブロック図は同じであるが、通常Ｇｃｈのゲインが固定されているのに対して、Ｇｃｈのゲインを調整するようにしたものである。本実施形態は、光源がスリットランプ等の青色光源の場合、被検眼（被写体）からの光量が少なく、Ｇｃｈの輝度信号レベルは１００％（１００ＩＲＥ）に達するものの、Ｒｃｈのゲインを最大にしたとしても１００ＩＲＥに達しない場合に、制御スイッチ１６により青色光源モードに切り替えて、そのモード切り替え信号に基づいて、制御手段（制御部１７）は、Ｒｃｈ用ゲイン調整部１４Ｒを制御して、Ｒｃｈのゲインが最大となるように調整した後、Ｂｃｈ用ゲイン調整部１４ＢとＧｃｈ用ゲイン調整部１４Ｇを制御して、ＢｃｈとＧｃｈとの信号レベルを下げるように制御し、Ｒチャンネルのゲインに合わせるように調整して、青色光源下で撮影された被検眼をモニタで確認できるようにした医療用テレビカメラ装置である。
【００４５】
また、本発明の他の実施形態について、図１を参照して説明すると、本実施形態では、医療用テレビカメラ装置のレンズにＩＲＩＳ調整部（露光調整手段）１８を備えている場合であり、制御部１７は、ＩＲＩＳ調整部１８を制御する制御信号を出力することができる。なお、ＩＲＩＳ調整部１８は、レンズの絞り（アイリス）を調整する機構やＣＣＤの電子シャッター機能を含むものとする。
被検眼の光源が青色光源の場合、赤系の光量が不足するために、制御スイッチ１６により青色光源モードに切り替えて、そのモード切り替え信号に基づいて、ゲイン調整部１４によって、Ｇｃｈゲイン調整部１４Ｇを制御して、Ｇｃｈのゲインを意図的に下げておき、Ｇｃｈゲイン調整部１４Ｇの出力を１００ＩＲＩＳとなるようにＩＲＩＳ調整部１８を調整する。その後、Ｒｃｈゲイン調整部１４ＲとＢｃｈゲイン調整部１４Ｂからの出力が、Ｇｃｈの信号レベルに一致するように制御して、青系の被写体からの反射光をモニタ画面で識別できるように制御する。
【００４６】
次に、本発明に係る眼科撮影装置の実施形態について、図２を参照して説明する。図２は、医療用テレビカメラ装置（図１）を用いた眼科撮影装置の実施形態を示す概略構成図である。その構成は、照明光学系と撮影系とからなり、撮影系は図１に示した医療用テレビカメラ装置である。
【００４７】
〔照明光学系〕
本実施形態について、先ず、照明光学系の光路順に説明する。被検眼２６Ｅを照らすための白色光源２１は、ハロゲンランプ等が用いられ、調光器（図示なし）により光量が適宜調節されている。白色光源２１から照射された光は、光源用レンズ２２によって導光され、コバルトフィルタ２３ａを通過して、短波長（青色）の光が選択透過する。青色光源への切り替えは、上記コバルトフィルタ２３ａを手動若しくはソレノイド駆動回路の駆動によりスライドさせて照明光路内へ挿入することにより行う。このようにして得られた青色の光は、ミラー２４で全反射され、スリット２５を通過してスリット状に絞られて被検眼２６Ｅに投光される。
【００４８】
〔撮影系〕
上記反射光は撮影用レンズ２７を介して、必要に応じて拡大されてＣＣＤカメラ２８に被写体光として受光される。ＣＣＤカメラ２８は、図１の医療用テレビカメラ装置で説明したように、青色光源下でのセットアップ情報を記憶し、モード切り替えボタンを操作するのみで当該セットアップ情報を読み出して再現することができるホワイトバランス制御部（制御手段）２９を備えている。なお、ホワイトバランス制御部２９は、図１の実施形態の制御部１７と略等しい機能であるが、下記の機能が異なる。
【００４９】
本実施形態では、眼科撮影装置としての操作性を考慮し、上記コバルトフィルタ２３ａをスライドさせて光源２１の光軸を切るように挿入されたことをセンサ２３ｂで検知し、その検知信号がＣＣＤカメラ２８内のホワイトバランス制御部２９に送られている。このように構成することによって、ホワイトバランス制御部２９では、青色光源の切り替えを行ったことを検知すると同時に、これに対応するセットアップ情報を自動的に選択して、青色光源下でのホワイトバランス調整値を再現することができる。
【００５０】
なお、本発明は、本実施形態に限定されるものではなく、他の種類の蛍光撮影、例えば赤外蛍光撮影に使用するものであっても同様に、その光源下でのホワイトバランス調整値を設定して記憶することによって、迅速に適切なホワイトバランス調整値に設定できることは勿論である。
【００５１】
【発明の効果】
以上説明したように、本発明によれば、医療用テレビカメラ装置に設けられたホワイトバランス調整の切り替え手段を操作することによって、例えば青色光源用のセットアップ情報が選択されると、このセットアップ情報に基づいて、ホワイトバランス調整値が再現できる。従って、被写体を蛍光撮影に切り替えたい場合であっても、モード切り替えボタンを操作することによって、即座に対応し、疾患部を識別し易く撮影することができる医療用テレビカメラ装置を提供できる利点がある。
【００５２】
また、本発明によれば、従来のように照明の色を切り替える度にホワイトバランス調整をする必要がないので、操作者の手間が省け、簡単な操作性によって、迅速な眼科診断が実現できる眼科撮影装置を実現できる利点がある。
【図面の簡単な説明】
【図１】本発明の医療用テレビカメラ装置の一実施形態を示すブロック図である。
【図２】本発明の医療用テレビカメラ装置を用いた眼科撮影装置の一実施形態を示す概略構成である。
【符号の説明】
１１　メモリ
１２Ｒ，１２Ｇ，１２Ｂ　Ｒ，Ｇ，Ｂチャンネル
１３　ゲイン切替え部
１４　ゲイン調整部
１４Ｒ　Ｒｃｈ用ゲイン調整部
１４Ｇ　Ｇｃｈ用ゲイン調整部
１４Ｂ　Ｂｃｈ用ゲイン調整部
１５　レベル検出部
１６　制御スイッチ
１７　制御部（制御手段）
２１　白色光源
２２　光源用レンズ
２３ａ　コバルトフィルタ
２３ｂ　センサ
２４　ミラー
２５　スリット
２７　撮影用レンズ
２８　ＣＣＤカメラ
２９　ホワイトバランス制御部（制御手段）
【図１】
2004112411.tif 000003
【図２】
2004112411.tif 000004